(57)【要約】【課題】光利用効率の向上させることができる、波長変換素子、照明装置およびプロジェクターを提供する。【解決手段】回転軸の周りに回転可能な基板と、基板上に設けられた複数の量子ロッドと、を備え、回転軸と平行な方向から見たとき、複数の量子ロッドの各々は、基板の半径方向に対して略同じ角度をなす偏光変換素子に関する。【選択図】図２
2016145881.tif 000002
【特許請求の範囲】
【請求項１】
回転軸の周りに回転可能な基板と、
前記基板上に設けられた複数の量子ロッドと、を備え、
前記回転軸と平行な方向から見たとき、前記複数の量子ロッドの各々は、前記基板の半径方向に対して略同じ角度をなす
波長変換素子。
【請求項２】
第１の波長帯の光を射出する光源と、
前記第１の波長帯の前記光を受けて第２の波長帯の光を射出する、請求項１に記載の波長変換素子と、
前記基板を前記回転軸の周りに回転させる回転装置と、を備える
照明装置。
【請求項３】
請求項２に記載の照明装置と、
前記照明装置からの照明光を画像情報に応じて変調することにより画像光を形成する光変調装置と、
前記画像光を投射する投射光学系と、を備える
プロジェクター。
【請求項４】
前記光変調装置は、前記画像光を形成する複数の画素を含む画像形成領域を有し、
前記複数の量子ロッドの各々の長辺方向は、前記光源からの前記第１の波長帯の光の照射領域内において、前記画像形成領域の長辺方向又は短辺方向に一致している
請求項３に記載のプロジェクター。
【発明の詳細な説明】
【技術分野】
【０００１】
本発明は、波長変換素子、照明装置およびプロジェクターに関するものである。
【背景技術】
【０００２】
近年、プロジェクターにおいて、蛍光体を利用した照明装置が用いられている。このような照明装置として、回転する基板上に形成された蛍光体層に励起光を照射して蛍光を生成し、該蛍光と励起光とを合成することで照明光を生成する技術が知られている（例えば、特許文献１参照）。
また、量子ロッドを用いることで入力光を直線偏光に変換する技術も知られている（例えば、特許文献２参照）。
【０００３】
上記特許文献１の照明装置から射出される照明光は非偏光である。そのため、偏光板あるいは偏光変換素子が必要であり、光利用効率が低下するといった課題があった。
【先行技術文献】
【特許文献】
【０００４】
【特許文献１】特開２０１２−１３７７４４号公報
【特許文献２】特表２０１２−５１８８０８号公報
【発明の概要】
【発明が解決しようとする課題】
【０００５】
そこで、上記照明装置の蛍光体層として上記量子ロッドを組み合わせ、偏光の照明光を生成することで光利用効率を向上させることも考えられる。
しかしながら、上記照明装置と上記量子ロッドとを組み合わせた場合、量子ロッドが回転するために、励起光が照射される量子ロッドの向きが時間的に変化する。そのため、照明光の偏光方向が時間的に変化してしまう。この場合、上記偏光変換素子や上記偏光板を用いる必要があるため、光利用効率が低くなってしまう。
【０００６】
本発明はこのような事情に鑑みてなされたものであって、光利用効率が高い波長変換素子を提供することを目的の一つとする。また、当該波長変換素子を備え、光利用効率が高い照明装置を提供することを目的の一つとする。また、当該照明装置を備え、光利用効率が高いプロジェクターを提供することを目的の一つとする。
【課題を解決するための手段】
【０００７】
本発明の第１態様に従えば、回転軸の周りに回転可能な基板と、前記基板上に設けられた複数の量子ロッドと、を備え、前記回転軸と平行な方向から見たとき、前記複数の量子ロッドの各々は、前記基板の半径方向に対して略同じ角度をなす波長変換素子が提供される。
【０００８】
第１態様に係る波長変換素子によれば、基板が回転しても、励起光が照射される量子ロッドの向きは変化しない。よって、基板が回転する場合であっても、第１態様に係る波長変換素子は一定の偏光状態の光を射出することができる。したがって、直線偏光を生成するべく偏光板を用いて不要な偏光成分をカットする場合、光の損失を小さくすることができる。また、波長変換素子から射出された光の偏光度が充分高い場合には、偏光板が不要である。このように、光利用効率を大幅に向上させることができる。
【０００９】
本発明の第２態様に従えば、第１の波長帯の光を射出する光源と、前記第１の波長帯の前記光を受けて第２の波長帯の光を射出する、上記第１態様に係る波長変換素子と、前記基板を前記回転軸の周りに回転させる回転装置と、を備える照明装置が提供される。
【００１０】
第２態様に係る照明装置は、第２の波長帯の光として、一定の偏光状態の光を射出することができる。
【００１１】
本発明の第３態様に従えば、上記第２態様に係る照明装置と、前記照明装置からの照明光を画像情報に応じて変調することにより画像光を形成する光変調装置と、前記画像光を投射する投射光学系と、を備えるプロジェクターが提供される。
【００１２】
第３態様に係るプロジェクターは、上記第２態様に係る照明装置を備えるので、明るく画像品質に優れた表示を行うことができる。
【００１３】
上記第３態様において、前記光変調装置は、前記画像光を形成する複数の画素を含む画像形成領域を有し、前記複数の量子ロッドの各々の長辺方向は、前記光源からの前記第１の波長帯の光の照射領域内において、前記画像形成領域の長辺方向又は短辺方向に一致しているのが好ましい。
照明装置は、量子ロッドの長辺方向に偏光した光を射出する。また、一般的に、液晶を用いた光変調装置における入射側偏光板の光透過軸は、画像形成領域の長辺方向又は短辺方向に設定される。
本構成を採用すれば、照明光の偏光方向が入射側偏光板の光透過軸に一致するので、照明光を光変調装置に効率良く入射させて明るい画像光を生成することができる。
【図面の簡単な説明】
【００１４】
【図１】プロジェクターの光学系の構成を示す図。
【図２】回転蛍光板を説明するために示す図。
【図３】蛍光生成部によって生成される照明光の概念図。
【図４】蛍光の偏光方向を示した概念図。
【発明を実施するための形態】
【００１５】
以下、本発明の実施の形態について、図面を参照して詳細に説明する。
なお、以下の説明で用いる図面は、特徴をわかりやすくするために、便宜上特徴となる部分を拡大して示している場合があり、各構成要素の寸法比率などが実際と同じであるとは限らない。
【００１６】
（プロジェクター）
本実施形態に係るプロジェクターの一例について説明する。本実施形態のプロジェクターは、スクリーン（被投射面）ＳＣＲ上にカラー映像を表示する投射型画像表示装置である。プロジェクターは、赤色光、緑色光、青色光の各色光に対応した３つの液晶光変調装置を用いている。プロジェクターは、照明装置の光源として、高輝度・高出力な光が得られる半導体レーザーを用いている。
【００１７】
図１は、本実施形態に係るプロジェクターの光学系の構成を示す図である。
プロジェクター１は、図１に示すように、照明装置１００、色分離導光光学系２００、液晶光変調装置４００Ｒ，４００Ｇ，４００Ｂ、クロスダイクロイックプリズム５００及び投写光学系６００を備える。
【００１８】
液晶光変調装置４００Ｒ，４００Ｇ，４００Ｂ各々は、入射した色光を画像情報に応じて変調してカラー画像を形成するものである。液晶光変調装置４００Ｒ，４００Ｇ，４００Ｂ各々の光入射側には入射側偏光板４０１が配置され、各液晶光変調装置４００Ｒ，４００Ｇ，４００Ｂ各々の光射出側には射出側偏光板４０２が配置されている。
【００１９】
照明装置１００は、光源１０、アフォーカル光学系１１、ホモジナイザー光学系１２、集光光学系２０、回転蛍光板（波長変換素子）３０、モーター５０、コリメート光学系６０、第１レンズアレイ１２０、第２レンズアレイ１３０及び重畳レンズ１５０を備える。
【００２０】
光源１０は、励起光としてレーザー光からなる第１の波長帯の光として青色光（発光強度のピーク：約４４５ｎｍ）Ｂを射出する複数の半導体レーザー１０Ａから構成される。複数の半導体レーザー１０Ａは、照明光軸１００ａｘと直交する一平面内において、アレイ状に配置されている。
なお、光源１０としては、４４５ｎｍ以外の波長（例えば、４６０ｎｍ）の青色光を射出する半導体レーザーを用いることもできる。
本実施形態において、光源１０から射出された青色光Ｂは、所定方向の直線偏光とされている。
【００２１】
アフォーカル光学系１１は、例えば、凸レンズ１１ａおよび凹レンズ１１ｂを備える。アフォーカル光学系１１は、光源１０から射出された青色光の光束（複数のレーザー光からなる光束）の光束径を小さくする。このようにアフォーカル光学系１１が励起光の光束径を小さくするため、小型の集光光学系２０を用いることができる。よって、集光光学系２０を備えた照明装置１００は、小型化および軽量化が図られたものとすることができる。
なお、アフォーカル光学系１１と光源１０との間にコリメーター光学系を配置し、アフォーカル光学系１１に入射する励起光を平行光束に変換するようにしても良い。
【００２２】
ホモジナイザー光学系１２は、例えば、第１マルチレンズアレイ１２ａおよび第２マルチレンズアレイ１２ｂを備える。ホモジナイザー光学系１２は、集光光学系２０と協同して励起光の光強度分布を均一な状態（いわゆるトップハット分布）に変換する。
【００２３】
具体的に、ホモジナイザー光学系１２は、第１マルチレンズアレイ１２ａの複数の小レンズ各々から射出された複数の小光束を、集光光学系２０と協同して、蛍光生成部４２（後述）上で互いに重畳させる。これにより、蛍光生成部４２上に照射される青色光Ｂの光強度分布を均一な状態（いわゆるトップハット分布）とする。
【００２４】
集光光学系２０は、第１レンズ２２及び第２レンズ２４を備える。集光光学系２０は、ホモジナイザー光学系１２から回転蛍光板３０までの光路中に配置され、青色光（励起光）を略集光した状態で回転蛍光板３０に入射させる。本実施形態において、第１レンズ２２及び第２レンズ２４は、それぞれ凸レンズからなる。
【００２５】
図２は、実施形態に係る回転蛍光板を説明するために示す図である。
回転蛍光板３０は、図１及び図２に示すように、モーター５０により所定の回転軸Ｏの周りに回転可能な円板（基板）４０と、該円板４０上に設けられた蛍光生成部４２とを有している。
【００２６】
蛍光生成部４２は、円板４０の周方向に沿って設けられている。回転蛍光板３０は、後述のように、青色光Ｂが入射する側とは反対の側に向けて赤色光及び緑色光を含む黄色の蛍光（第２の波長帯の光）Ｙを射出する。
【００２７】
円板４０は、青色光Ｂを透過する材料からなる。円板４０の材料としては、例えば、石英ガラス、水晶、サファイア、光学ガラス、透明樹脂等を用いることができる。
【００２８】
本実施形態において、光源１０からの青色光Ｂは円板４０側から蛍光生成部４２に入射し、入射した青色光Ｂの一部は蛍光生成部４２を透過する。蛍光生成部４２と円板４０との間には、青色光Ｂを透過し、蛍光Ｙを反射するダイクロイック膜（不図示）が設けられている。
【００２９】
青色光Ｂは、蛍光生成部４２上にスポットＢＳを形成する。スポットＢＳの位置は空間的に固定されており、スポットＢＳの中心は、光源１０の照明光軸１００ａｘに一致する。円板４０が回転することで、スポットＢＳ内に位置する蛍光生成部４２が順次変化する。
【００３０】
スポットＢＳ内に位置する蛍光生成部４２を順次変化させることによって、青色光Ｂの照射による蛍光生成部４２の熱によるダメージを軽減させるようにしている。
【００３１】
蛍光生成部４２は、例えば、有機フィルムからなるバインダー５１中に複数の量子ロッド５２を混ぜて延伸することで形成されている。各量子ロッド５２は、例えば、数ｎ〜数十ｎｍの大きさを持つ化合物半導体（例えば、ＧａＡｓやＧａＮなど）の棒状粒子である。
【００３２】
一般に、量子ロッド５２は、光を照射すると別の色の光を発する波長変換機能を有している。
量子ロッド５２は、その大きさに応じて波長変換機能が異なる。すなわち、量子ロッド５２は、大きさに対応した色の蛍光を生成する。
【００３３】
複数の量子ロッド５２は、回転軸Ｏと平行な方向（円板４０の上面方向）から見たとき、円板４０の半径方向に対して略同じ角度をなしている。例えば、本実施形態では、複数の量子ロッド５２は、その長辺方向を円板４０の半径方向と直交する方向に向けるように配置されている。
ここで、円板４０の半径方向とは、回転中心とその量子ロッド５２とを結ぶ方向のことをいう。
【００３４】
そのため、円板４０の回転に伴って、スポットＢＳ内に位置する蛍光生成部４２が変化したとしても、該スポットＢＳ内に含まれる量子ロッド５２の向き（配向方向）は変化せずに常に同じ方向（円板４０の半径方向と直交する方向）を向いている。
【００３５】
図３は蛍光生成部４２によって生成される照明光の概念図である。
図３に示すように、蛍光生成部４２に含まれる各量子ロッド５２は、光源１０からの青色光Ｂの一部を黄色の蛍光Ｙに変換する。
【００３６】
一方、蛍光生成部４２のうちバインダー５１においては、青色光Ｂの残りの一部がそのまま通過して外部に射出する。なお、バインダー５１は、円板４０の回転の有無によらず、青色光Ｂの偏光方向に影響を与えることはない。
【００３７】
本実施形態において、光源１０からの青色光Ｂのうち蛍光生成部４２を透過した成分と量子ロッド５２からの黄色の蛍光Ｙとが合成されることで白色光Ｗが得られる。
【００３８】
図４は蛍光Ｙの偏光方向を示した概念図である。なお、図４では、入射側偏光板４０１の光透過軸４０１ａも図示している。
【００３９】
本実施形態の量子ロッド５２は、ナノ結晶が棒状であることから、図４に示すように、該量子ロッド５２の長辺方向に偏光した蛍光Ｙを射出することができる。
なお、図４における両矢印は、蛍光Ｙおよび青色光Ｂの偏光方向を概念的に示したものである。
【００４０】
本実施形態では、上述のように、青色光ＢのスポットＢＳ内で量子ロッド５２の向きが変化しないため、円板４０が回転している場合であっても、蛍光Ｙの偏光方向が変化することが防止される。
【００４１】
また、青色光Ｂは、所定方向に偏光した直線偏光である。具体的に、青色光Ｂの偏光方向は量子ロッド５２の長辺方向に一致している。そのため、青色光Ｂおよび蛍光Ｙの偏光方向は互いに一致している。
本実施形態において、白色光Ｗは、全体として、一方向に偏光した直線偏光成分から構成されている。
【００４２】
白色光Ｗは、後述のように、色分離導光光学系２００により赤色光、緑色光及び青色光に分離された後、これら赤色光、緑色光及び青色光がそれぞれ対応する液晶光変調装置４００Ｒ，４００Ｇ，４００Ｂにより変調される。
【００４３】
液晶光変調装置４００Ｒ，４００Ｇ，４００Ｂの各々は、画像光を形成する複数の画素を含んだ画像形成領域（画像表示領域）を有している。図４では、各画像形成領域をそれぞれ画像形成領域４Ｒ１，４Ｇ１，４Ｂ１として、仮想的にスポットＢＳと平面的に重ねた状態としている。
【００４４】
図４に示すように、画像形成領域４Ｒ１，４Ｇ１，４Ｂ１は、それぞれ矩形状である。従来、液晶光変調装置において、入射側偏光板４０１の光透過軸４０１ａは、画像形成領域４Ｒ１，４Ｇ１，４Ｂ１の短辺方向および長辺方向の一方と一致している。
【００４５】
本実施形態では、スポットＢＳ内における複数の量子ロッド５２の各々の長辺方向を、例えば、各画像形成領域４Ｒ１，４Ｇ１，４Ｂ１の短辺方向に一致させるようにしている。各画像形成領域４Ｒ１，４Ｇ１，４Ｂ１は、入射側偏光板４０１の光透過軸４０１ａが短辺方向に設定されているものとする。
【００４６】
量子ロッド５２の長辺方向は白色光Ｗの偏光方向に一致している。そのため、本実施形態では、白色光Ｗを分離することで生成された赤色光、緑色光及び青色光の偏光方向を、画像形成領域４Ｒ１，４Ｇ１，４Ｂ１の入射側偏光板４０１の光透過軸４０１ａの方向とそれぞれ一致させることが可能である。
【００４７】
これにより、赤色光、緑色光及び青色光は、それぞれ画像形成領域４Ｒ１，４Ｇ１，４Ｂ１内に効率的に入射する。よって、明るい画像光を効率良く生成することが可能となっている。
【００４８】
なお、各画像形成領域４Ｒ１，４Ｇ１，４Ｂ１の入射側偏光板の光透過軸が長辺方向に設定されていても良く、この場合、量子ロッド５２の長辺方向を図４における円板４０の半径方向（画像形成領域４Ｒ１，４Ｇ１，４Ｂ１の長辺方向）に設定すればよい。
【００４９】
図１に戻って、コリメート光学系６０は、第１コリメートレンズ６２と、第２コリメートレンズ６４とを備え、回転蛍光板３０からの光を略平行化する。第１コリメートレンズ６２及び第２コリメートレンズ６４は、凸レンズからなる。
【００５０】
第１レンズアレイ１２０は、コリメート光学系６０からの光を複数の部分光束に分割するための複数の第１小レンズ１２２を有する。複数の第１小レンズ１２２は、照明光軸１００ａｘと直交する面内にマトリクス状に配列されている。
【００５１】
第２レンズアレイ１３０は、第１レンズアレイ１２０の複数の第１小レンズ１２２に対応する複数の第２小レンズ１３２を有する。第２レンズアレイ１３０は、重畳レンズ１５０とともに、第１レンズアレイ１２０の各第１小レンズ１２２の像を液晶光変調装置４００Ｒ，４００Ｇ，４００Ｂの画像形成領域近傍に結像させる。複数の第２小レンズ１３２は照明光軸１００ａｘに直交する面内にマトリクス状に配列されている。
【００５２】
ところで、従来、照明光を効率よく利用するべく、回転蛍光板３０から射出された光を直線偏光に変換していた。そのため、例えば、第２レンズアレイ１３０および重畳レンズ１５０間に偏光変換素子が設置されていた。
【００５３】
これに対し、本実施形態では、照明光（白色光Ｗ）が直線偏光であるため、偏光変換素子を設置する必要が無い。これにより、従来の偏光変換素子を設置する構造に比べ、装置構成が簡略化され、小型化および低コスト化を図ることができる。また、偏光変換素子による光損失はない。
【００５４】
重畳レンズ１５０は、第２レンズアレイ１３０からの各部分光束を集光して液晶光変調装置４００Ｒ，４００Ｇ，４００Ｂの画像形成領域近傍に重畳させる。第１レンズアレイ１２０、第２レンズアレイ１３０及び重畳レンズ１５０は、回転蛍光板３０からの光の面内光強度分布を均一にするインテグレーター光学系を構成する。
【００５５】
色分離導光光学系２００は、ダイクロイックミラー２１０，２２０、反射ミラー２３０，２４０，２５０及びリレーレンズ２６０，２７０を備える。色分離導光光学系２００は、照明装置１００からの光を赤色光、緑色光及び青色光に分離し、赤色光、緑色光及び青色光をそれぞれが対応する液晶光変調装置４００Ｒ，４００Ｇ，４００Ｂに導光する。
色分離導光光学系２００と、液晶光変調装置４００Ｒ，４００Ｇ，４００Ｂとの間には、集光レンズ３００Ｒ，３００Ｇ，３００Ｂが配置されている。
【００５６】
ダイクロイックミラー２１０は、赤色光成分を通過させ、緑色光成分及び青色光成分を反射するダイクロイックミラーである。
ダイクロイックミラー２２０は、緑色光成分を反射して、青色光成分を通過させるダイクロイックミラーである。
反射ミラー２３０は、赤色光成分を反射する反射ミラーである。
反射ミラー２４０，２５０は青色光成分を反射する反射ミラーである。
【００５７】
ダイクロイックミラー２１０を通過した赤色光は、反射ミラー２３０で反射され、集光レンズ３００Ｒを通過して赤色光用の液晶光変調装置４００Ｒの画像形成領域に入射する。
ダイクロイックミラー２１０で反射された緑色光は、ダイクロイックミラー２２０でさらに反射され、集光レンズ３００Ｇを通過して緑色光用の液晶光変調装置４００Ｇの画像形成領域に入射する。
ダイクロイックミラー２２０を通過した青色光は、リレーレンズ２６０、入射側の反射ミラー２４０、リレーレンズ２７０、射出側の反射ミラー２５０、集光レンズ３００Ｂを経て青色光用の液晶光変調装置４００Ｂの画像形成領域に入射する。
【００５８】
クロスダイクロイックプリズム５００は、各液晶光変調装置４００Ｒ，４００Ｇ，４００Ｂから射出された各画像光を合成してカラー画像を形成する。
【００５９】
このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。
【００６０】
クロスダイクロイックプリズム５００から射出されたカラー画像は、投写光学系６００によって拡大投写され、スクリーンＳＣＲ上で画像を形成する。
【００６１】
以上述べたように、本実施形態によれば、円板４０が回転する場合であっても、青色光ＢのスポットＢＳ内において、量子ロッド５２の向きが大きく変化することはない。よって、円板４０が回転する場合であっても、回転蛍光板３０は略一定の偏光状態の蛍光Ｙを射出する。したがって、本実施形態のように、蛍光Ｙを直線偏光に変換するべく入射側偏光板を用いて不要な偏光成分をカットする場合、蛍光Ｙの偏光方向が０°から９０°の間で時間的に変動する場合のような大きな光損失は生じない。また、蛍光Ｙの偏光度が許容できる程度に高い場合には、入射側偏光板を省略することができるため、入射側偏光板による光損失はない。このように本実施形態によれば、蛍光Ｙを効率良く利用することができる。したがって、本実施形態のプロジェクター１は、品質に優れた明るい画像を表示することができる。
【００６２】
また、回転蛍光板３０は略一定の偏光状態の蛍光Ｙを射出するので、偏光変換素子を省略しても、蛍光Ｙの偏光方向が０°から９０°の間で時間的に変動する場合のような大きな光損失は生じない。よって、偏光変換素子を省略した場合には装置構成が簡略されて、小型化および低コスト化を図ることができる。
【００６３】
なお、本発明は、上記実施形態のものに必ずしも限定されるものではなく、本発明の趣旨を逸脱しない範囲において種々の変更を加えることが可能である。
【００６４】
上記実施形態では、量子ロッド５２の長辺方向が円板４０の半径方向と直交する方向に設定される場合を例に挙げたが、本発明はこれに限定されることはない。
例えば、量子ロッド５２の長辺方向が円板４０の半径方向に設定されていても良い。この場合、複数の量子ロッド５２は、円板４０の中心に対して放射状に配置されることになる。
【００６５】
あるいは、量子ロッド５２の長辺方向が半径方向と交差する方向（直交以外の方向）に設定されていても良い。なお、入射側偏光板の光透過軸の方向は、量子ロッド５２の長辺方向の向きに応じて適宜調整すれば良い。
【００６６】
また、上記実施形態では、回転蛍光板３０として青色光Ｂの入射方向と蛍光Ｙの射出方向とが一致する透過方式のものを例に挙げたが、本発明はこれに限定されない。
例えば、回転蛍光板として、青色光Ｂの入射方向と蛍光Ｙの射出方向とが反対となる反射方式のものを用いても良い。この場合、回転蛍光板は、光反射性を有する金属板からなる円板上に量子ロッド５２を含む蛍光生成部４２を形成すれば良い。
【００６７】
また、上記実施形態では、各液晶光変調装置４００Ｒ，４００Ｇ，４００Ｂの前段に入射側偏光板を設置する場合を例に挙げたが、本発明はこれに限定されない。
例えば、白色光Ｗが偏光度の高い直線偏光である場合においては入射側偏光板を省略するようにしても良い。
【００６８】
また、上記実施形態では、３つの液晶光変調装置４００Ｒ，４００Ｇ，４００Ｂを備えるプロジェクター１を例示したが、１つの液晶光変調装置でカラー映像を表示するプロジェクターに適用することも可能である。また、光変調装置として、デジタルミラーデバイスを用いてもよい。
【００６９】
また、上記実施形態では本発明による照明装置をプロジェクターに搭載した例を示したが、これに限られない。本発明による照明装置は、照明器具や自動車のヘッドライト等にも適用することができる。
【符号の説明】
【００７０】
Ｂ…青色光（第１の波長帯の光）、Ｙ…蛍光（第２の波長帯の光）、ＢＳ…スポット（第１の波長帯の光の照射領域）、１…プロジェクター、４Ｒ１，４Ｇ１，４Ｂ１…画像形成領域、１０…光源、３０…回転蛍光板（波長変換素子）、４０…円板（基板）、５２…量子ロッド、１００…照明装置、４００Ｒ，４００Ｇ，４００Ｂ…液晶光変調装置（光変調装置）。
【図１】
2016145881.tif 000003
【図２】
2016145881.tif 000004
【図３】
2016145881.tif 000005
【図４】
2016145881.tif 000006